(57)【特許請求の範囲】
【請求項１】
ハードディスクドライブ、電源回路、回路基板等の発熱源を冷却するための冷却ファンを有する音響機器において、
前記冷却ファンを駆動する冷却ファンモータに直流電圧を供給する直流電源と、この直流電源と前記冷却ファンモータとの間に直列接続されて前記冷却ファンを風切り音が発生しない低速の所定回転速度で回転させるための所定直流電圧に前記直流電源の直流電圧を低減して前記冷却ファンモータに供給する定電圧素子および電源スイッチと、前記冷却ファンモータと直列に接続されて当該冷却ファンモータに流れる電流を自体に発生する電圧降下の値によって検出する電流検出用抵抗と、前記電流検出用抵抗で発生する電圧降下の値を検出してスイッチング動作する検出用トランジスタと、前記定電圧素子と並列に接続されて前記検出用トランジスタのスイッチング動作によってスイッチング制御されるバイパス用トランジスタとを有し、
前記電源スイッチのオン時に、前記冷却ファンモータに前記冷却ファンを起動させるための負荷に応じた定常時よりも大きな電流が流れ、この冷却ファンモータに流れる電流により前記電流検出用抵抗に発生する大きな電圧降下の値を検出して前記検出用トランジスタがオフからオンにスイッチング動作し、このスイッチング動作により前記バイパス用トランジスタが定常時のオフからオンに転換されて前記定電圧素子を短絡することにより、前記直流電源からオン状態の前記パイパス用トランジスタを介して前記冷却ファンモータに直流電圧が供給され、前記冷却ファンの起動が完了して負荷が減少するのに伴って前記冷却ファンモータに流れる電流が急激に減少することにより、前記電流検出用抵抗に発生する電圧降下の値が低下して前記検出用トランジスタがオンからオフにスイッチング動作し、このスイッチング動作により前記バイパス用トランジスタがオフに転換されて前記定電圧素子の短絡が解除され、前記冷却ファンモータに前記定電圧素子を介して前記所定直流電圧が供給されることより前記冷却ファンが前記所定回転速度で回転するように制御される冷却ファンモータ電圧制御回路を備えた音響機器。
【請求項２】
電源回路、回路基板等の発熱源を冷却するための冷却ファンを有する機器において、
前記冷却ファンを駆動する冷却ファンモータに直流電圧を供給する直流電源と、前記直流電源と前記冷却ファンモータとの間に直列接続されて前記冷却ファンを風切り音が発生しない低速の所定回転速度で回転させるための所定直流電圧に前記直流電源の直流電圧を低減して前記冷却ファンモータに供給する定電圧素子および電源スイッチと、前記冷却ファンモータと直列に接続されて当該冷却ファンモータに流れる電流を自体に発生する電圧降下の値によって検出する電流検出用抵抗と、前記電流検出用抵抗で発生する電圧降下の値を検出してスイッチング動作する検出用スイッチング素子と、前記定電圧素子と並列接続されて前記検出用スイッチング素子のスイッチング動作によってスイッチング制御されるバイパス用スイッチング素子とを有し、
前記電源スイッチのオン時に、前記冷却ファンモータに前記冷却ファンを起動させるための負荷に応じた定常時よりも大きな電流が流れ、この冷却ファンモータに流れる電流により前記電流検出用抵抗に発生する大きな値の電圧降下を検出して前記検出用スイッチング素子がオフからオンにスイッチング動作し、このスイッチング動作により前記バイパス用スイッチング素子が定常時のオフからオンに転換されて前記定電圧素子を短絡することにより、前記直流電源からオン状態の前記パイパス用スイッチング素子を介して前記冷却ファンモータに直流電圧が供給され、前記冷却ファンの起動が完了して負荷が減少するのに伴って前記冷却ファンモータに流れる電流が急激に減少することにより、前記電流検出用抵抗に発生する電圧降下の値が低下して前記検出用スイッチング素子がオンからオフにスイッチング動作し、このスイッチング動作により前記バイパス用スイッチング素子がオフに転換されて前記定電圧素子の短絡が解除され、前記冷却ファンモータに前記定電圧素子を介して前記所定直流電圧が供給されることより前記冷却ファンが前記所定回転速度で回転するように制御される冷却ファンモータ電圧制御回路を備えた機器。
【請求項３】
電源回路、回路基板等の発熱源を冷却するための冷却ファンを有する機器において、
前記冷却ファンを駆動する冷却ファンモータに直流電圧を供給する直流電源と、前記直流電源と前記冷却ファンモータとの間に直列接続されて前記直流電源の直流電圧をツェナー電圧に低減することにより前記冷却ファンを風切り音が発生しない低速の所定回転速度で回転させる所定直流電圧を前記冷却ファンモータに供給するツェナーダイオードおよび電源スイッチと、前記冷却ファンモータと直列に接続されて当該冷却ファンモータに流れる電流を自体に発生する電圧降下の値によって検出する電流検出用抵抗と、前記電流検出用抵抗で発生する電圧降下の値を検出してスイッチング動作する検出用トランジスタと、前記ツェナーダイオードと並列に接続されて前記検出用トランジスタのスイッチング動作によってスイッチング制御されるバイパス用トランジスタとを有し、
前記電源スイッチのオン時に、前記冷却ファンモータに前記冷却ファンを起動させるための負荷に応じた定常時よりも大きな電流が流れ、この冷却ファンモータに流れる電流により前記電流検出用抵抗に発生する大きな値の電圧降下を検出して前記検出用トランジスタがオフからオンにスイッチング動作し、このスイッチング動作により前記バイパス用トランジスタが定常時のオフからオンに転換されて前記ツェナーダイオードを短絡することにより、前記直流電源からオン状態の前記パイパス用トランジスタを介して前記冷却ファンモータに直流電圧が供給され、前記冷却ファンの起動が完了して負荷が減少するのに伴って前記冷却ファンモータに流れる電流が急激に減少することにより、前記電流検出用抵抗に発生する電圧降下の値が低下して前記検出用トランジスタがオンからオフにスイッチング動作し、このスイッチング動作により前記バイパス用トランジスタがオフに転換されて前記ツェナーダイオードの短絡が解除され、前記冷却ファンモータに前記ツェナーダイオードのツェナー電圧により設定された前記所定直流電圧が供給されることより前記冷却ファンが前記所定回転速度で回転するように制御される冷却ファンモータ電圧制御回路を備えた機器。
【請求項４】
前記電流検出用抵抗および前記冷却ファンモータの接続点と前記検出用トランジスタのベースとの間にバイアス抵抗が接続され、前記電流検出用抵抗が、その抵抗値が可変設定可能な可変型抵抗からなる請求項３記載の冷却ファンモータ電圧制御回路を備えた機器。
【発明の詳細な説明】
【０００１】
【発明の属する技術分野】
本発明は冷却ファンを駆動するための冷却ファンモータ電圧制御回路を備えた音響機器及びその他の機器に関する。
【０００２】
【従来の技術】
近年、小型、大容量化されたハードディスクドライブをビィデオ信号記録用として用いたレコーダが普及しつつある。しかし、ハードディスクドライブは発熱量が多いため、レコーダ本体に冷却ファンを設けなければならない。ところが、音声信号の再生を伴うレコーダにあっては冷却ファンの風切り音が使用者にとって騒音となる。特に、音楽信号の再生にあっては極めて大きな障害となる。そこで、定常回転では定格電圧以下の低い電圧を供給し風切り音の発生をなくし、起動時には高い電圧を供給し起動が円滑になされるようにしている。このような風切り音発生の防止策は、前記レコーダに限らず各種の機器にも考慮されている。
【０００３】
そのために、例えば、特開平６−１８９５８６号公報（第１の従来技術）に記載されているように、プリンターのような機器ではアイドル中は比較的に冷却する必要性が少ないので冷却ファンを低速運転させて風切り音の発生をなくし、稼動時には高速運転させるようにしている。併せて、温度センサーを用いて冷却の必要性を検知し冷却ファンモータへの供給電圧を制御するという技術が提案されている。
【０００４】
また、例えば、特開平６−３３５２８５号公報（第２の従来技術）に記載されているように、冷却ファンの起動時には起動に必要な高い電圧を供給し、その後は少なくとも定常回転に必要な電圧まで下げ、円滑な起動と低騒音化を図っている。その制御として、電源回路にコンデンサ、抵抗からなる所定の時定数を持つ積分回路を設け、冷却ファンの起動時のみ高い電圧を供給するようにした技術が提案されている。
【０００５】
更に、例えば、特開平８−１２６３６１号公報（第３の従来例）に記載されているように、電源投入時には確実な起動のための電圧を供給し、その後の定常運転時には風切り音が発生しない電圧まで低下させ、確実な起動と低騒音化を図っている。その制御として、電源投入時にトリガーされる例えば単安定マルチバイブレータからなるパルス発生回路を用いて起動時にのみ冷却ファンモータに高い電圧を供給し、その後は低い電圧を供給する技術が提案されている。
【０００６】
【発明が解決しようとする課題】
前記第１の従来技術では、温度センサーによって周囲温度を検知し、冷却ファンの高速運転、低速運転を行うもので、風切り音対策を優先する例えば音響機器においては採用できない。即ち、この従来例では、音響機器の使用中に何らかの原因により温度が上昇してしまうと冷却ファンが高速回転して突然、風切り音が発生してしまうという問題点がある。また、起動を円滑に行うことは考慮されておらず、しかも、温度センサーを設けるためにコスト高となる等の問題点がある。
【０００７】
また、前記第２の従来技術では、前記第１の従来技術の問題点である風切り音対策と起動対策については改善されている。しかし、冷却フアンモータには起動特性にばらつきがあるため、積分回路の設定時定数は前記ばらつきを全て吸収できるに十分な大きなものとしなければならない。そのため、このような冷却ファンを適用した機器は、電源投入後にしばらく高速回転がなされ、早期に風切り音をなくすことができないという問題点がある。即ち、この従来例では、機器の使用開始の最初の期間に風切り音がどうしても入ってしまうという問題点がある。
【０００８】
更に、前記第３の従来例では、前述と同様に風切り音対策と起動対策については改善されているが、高い電圧の供給には一定のパルス幅を有するパルスを発生するパルス発生回路を用いているため、前記第２の従来技術と同様に冷却ファンモータの起動特性のばらつくを考慮した十分に大きなパルス幅を必要とする。そのため、やはり電源投入後にしばらく高速回転がなされてしまい、早期に風切り音を無くすことができないという問題点がある。即ち、この従来例でも、機器の使用開始の最初の期間に風切り音がどうしても入ってしまうという問題点がある。
【０００９】
本発明は、上記従来技術の有する課題を解決し、音響機器及びその他の機器の使用者に与える風切り音の悪影響を確実になくし、しかも低コストで構成した冷却ファンモータ電圧制御回路を備えた音響機器及びその他の機器を提供することを目的とする。
【００１０】
【課題を解決するための手段】
上記目的を達成するため、請求項１に係る発明は、ハードディスクドライブ、電源回路、回路基板等の発熱源を冷却するための冷却ファンを有する音響機器において、前記冷却ファンを駆動する冷却ファンモータに直流電圧を供給する直流電源と、この直流電源と前記冷却ファンモータとの間に直列接続されて前記冷却ファンを風切り音が発生しない低速の所定回転速度で回転させるための所定直流電圧に前記直流電源の直流電圧を低減して前記冷却ファンモータに供給する定電圧素子および電源スイッチと、前記冷却ファンモータと直列に接続されて当該冷却ファンモータに流れる電流を自体に発生する電圧降下の値によって検出する電流検出用抵抗と、前記電流検出用抵抗で発生する電圧降下の値を検出してスイッチング動作する検出用トランジスタと、前記定電圧素子と並列に接続されて前記検出用トランジスタのスイッチング動作によってスイッチング制御されるバイパス用トランジスタとを有し、前記電源スイッチのオン時に、前記冷却ファンモータに前記冷却ファンを起動させるための負荷に応じた定常時よりも大きな電流が流れ、この冷却ファンモータに流れる電流により前記電流検出用抵抗に発生する大きな電圧降下の値を検出して前記検出用トランジスタがオフからオンにスイッチング動作し、このスイッチング動作により前記バイパス用トランジスタが定常時のオフからオンに転換されて前記定電圧素子を短絡することにより、前記直流電源からオン状態の前記パイパス用トランジスタを介して前記冷却ファンモータに直流電圧が供給され、前記冷却ファンの起動が完了して負荷が減少するのに伴って前記冷却ファンモータに流れる電流が急激に減少することにより、前記電流検出用抵抗に発生する電圧降下の値が低下して前記検出用トランジスタがオンからオフにスイッチング動作し、このスイッチング動作により前記バイパス用トランジスタがオフに転換されて前記定電圧素子の短絡が解除され、前記冷却ファンモータに前記定電圧素子を介して前記所定直流電圧が供給されることより前記冷却ファンが前記所定回転速度で回転するように制御される冷却ファンモータ電圧制御回路を備えた音響機器である。
【００１１】
一方、請求項２に係る発明は、電源回路、回路基板等の発熱源を冷却するための冷却ファンを有する機器において、前記冷却ファンを駆動する冷却ファンモータに直流電圧を供給する直流電源と、前記直流電源と前記冷却ファンモータとの間に直列接続されて前記冷却ファンを風切り音が発生しない低速の所定回転速度で回転させるための所定直流電圧に前記直流電源の直流電圧を低減して前記冷却ファンモータに供給する定電圧素子および電源スイッチと、前記冷却ファンモータと直列に接続されて当該冷却ファンモータに流れる電流を自体に発生する電圧降下の値によって検出する電流検出用抵抗と、前記電流検出用抵抗で発生する電圧降下の値を検出してスイッチング動作する検出用スイッチング素子と、前記定電圧素子と並列接続されて前記検出用スイッチング素子のスイッチング動作によってスイッチング制御されるバイパス用スイッチング素子とを有し、前記電源スイッチのオン時に、前記冷却ファンモータに前記冷却ファンを起動させるための負荷に応じた定常時よりも大きな電流が流れ、この冷却ファンモータに流れる電流により前記電流検出用抵抗に発生する大きな値の電圧降下を検出して前記検出用スイッチング素子がオフからオンにスイッチング動作し、このスイッチング動作により前記バイパス用スイッチング素子が定常時のオフからオンに転換されて前記定電圧素子を短絡することにより、前記直流電源からオン状態の前記パイパス用スイッチング素子を介して前記冷却ファンモータに直流電圧が供給され、前記冷却ファンの起動が完了して負荷が減少するのに伴って前記冷却ファンモータに流れる電流が急激に減少することにより、前記電流検出用抵抗に発生する電圧降下の値が低下して前記検出用スイッチング素子がオンからオフにスイッチング動作し、このスイッチング動作により前記バイパス用スイッチング素子がオフに転換されて前記定電圧素子の短絡が解除され、前記冷却ファンモータに前記定電圧素子を介して前記所定直流電圧が供給されることより前記冷却ファンが前記所定回転速度で回転するように制御される冷却ファンモータ電圧制御回路を備えた機器である。
【００１２】
また、請求項３に係る発明は、電源回路、回路基板等の発熱源を冷却するための冷却ファンを有する機器において、前記冷却ファンを駆動する冷却ファンモータに直流電圧を供給する直流電源と、前記直流電源と前記冷却ファンモータとの間に直列接続されて前記直流電源の直流電圧をツェナー電圧に低減することにより前記冷却ファンを風切り音が発生しない低速の所定回転速度で回転させる所定直流電圧を前記冷却ファンモータに供給するツェナーダイオードおよび電源スイッチと、前記冷却ファンモータと直列に接続されて当該冷却ファンモータに流れる電流を自体に発生する電圧降下の値によって検出する電流検出用抵抗と、前記電流検出用抵抗で発生する電圧降下の値を検出してスイッチング動作する検出用トランジスタと、前記ツェナーダイオードと並列に接続されて前記検出用トランジスタのスイッチング動作によってスイッチング制御されるバイパス用トランジスタとを有し、前記電源スイッチのオン時に、前記冷却ファンモータに前記冷却ファンを起動させるための負荷に応じた定常時よりも大きな電流が流れ、この冷却ファンモータに流れる電流により前記電流検出用抵抗に発生する大きな値の電圧降下を検出して前記検出用トランジスタがオフからオンにスイッチング動作し、このスイッチング動作により前記バイパス用トランジスタが定常時のオフからオンに転換されて前記ツェナーダイオードを短絡することにより、前記直流電源からオン状態の前記パイパス用トランジスタを介して前記冷却ファンモータに直流電圧が供給され、前記冷却ファンの起動が完了して負荷が減少するのに伴って前記冷却ファンモータに流れる電流が急激に減少することにより、前記電流検出用抵抗に発生する電圧降下の値が低下して前記検出用トランジスタがオンからオフにスイッチング動作し、このスイッチング動作により前記バイパス用トランジスタがオフに転換されて前記ツェナーダイオードの短絡が解除され、前記冷却ファンモータに前記ツェナーダイオードのツェナー電圧により設定された前記所定直流電圧が供給されることより前記冷却ファンが前記所定回転速度で回転するように制御される冷却ファンモータ電圧制御回路を備えた機器である。
【００１３】
請求項３に係る発明において、前記電流検出用抵抗および前記冷却ファンモータの接続点と前記検出用トランジスタのベースとの間にバイアス抵抗が接続され、前記電流検出用抵抗が、その抵抗値が可変設定可能な可変型抵抗からなることが好ましい。
【００１４】
図１は、本発明の実施の形態の一例における冷却ファンモータ電圧制御回路のブロック図である。１は冷却ファンモータであり、例えばレコーダのような音響機器本体（図示せず）に設けられている。１は直流電源、３は電源スイッチである。４は冷却ファンモータ１と直列に接続されたツェナーダイオードからなる電圧制限素子、１１は同じく冷却ファンモータ１と直列に接続された電流検出用抵抗であり、この実施の形態では抵抗値を可変設定可能な可変型抵抗を用いた場合を例示してある。冷却ファンモータ１は直流電源の電圧が電圧制限素子４によって低減されて供給されるようになっている。この低減された電圧は冷却ファンモータ１がそのファンで風切り音を生じない程度で回転するように設定されている。６は電圧制限素子４と並列に接続されたバイパス手段を構成するバイパス用トランジスタであり、ＰＮＰ型トランジスタからなり、そのエミッタが電圧制限素子４を構成するツェナーダイオードのカソード側に接続され、そのコレクタがツェナーダイオードのアノード側に接続され、そのベース電位の低下によってオフからオンに転換してバイパス回路を形成するようになっている。７はバイパス用トランジスタのエミッタとベース間に接続されたバイアス抵抗である。
【００１５】
８は電流検出用抵抗１１で発生する電圧降下の値を検出するための検出手段を構成する検出用トランジスタであり、ＮＰＮ型トランジスタからなり、そのエミッタが直流電源２のマイナス側に接続され、そのベースが直流電源２のマイナス側に対し電流検出用抵抗１１を介した側に接続され、そのコレクタが抵抗９を介してバイパス用トランジスタのベースに接続されている。１０は検出用トランジスタ８のコレクタに接続されたバイアス抵抗であり、電流検出用抵抗１１に所定値以上の電流が流れるとこれに対応した電圧降下の電圧値によって検出用トランジスタ８がオフからオンに転換するようになっている。そして、検出用トランジスタ９のオン動作によりバイパス用トランジスタ６がオンに転換するようになっている。
【００１６】
次に、本発明の実施の形態による冷却ファンモータ電圧設定回路の動作について説明する。
【００１７】
機器の使用開始に伴って電源スイッチ３が閉成され冷却ファンモータ１に直流電圧が供給される。この直流電圧の供給開始時点では、冷却ファンモータ１には定常状態より大きな電流が流れて回転を開始する。そのため、電流検出用抵抗１１にも大きな電流が流れてそこでの電圧降下の値が大きくなる。この大きな電圧降下の値によって検出用トランジスタ８のベース電位がプラス方向に大きく変位し、定常状態ではオフになっている検出用トランジスタ８をオンに転換する。そして、バイパス用トランジスタ６は、そのベース電位がマイナス方向に変位し、定常状態ではオフになっている状態からオンに転換しバイパス回路を形成する。このバイパス回路の形成によって冷却ファンモータ１には、電圧制限素子４によって制限されない高い直流電圧が供給される。
【００１８】
従って、冷却ファンモータ１は高トルクを発生し直ちに高速回転に向かって回転する。回転が十分になると冷却フエンモータ１は負荷が少なくなり流れる電流も急激に少なくなる。電流が少なくなると電流検出用抵抗１１での電圧降下の値が小さくなり、検出用トランジスタ８がオンからオフに転換する。このオフへの転換により、バイパス用トランジスタ６は再びオフに転換されバイパス回路が形成されなくなる。そのため、冷却ファンモータ１に供給される電圧は電圧制限素子４によって低減されたファンが風切り音を発生しない値となる。
【００１９】
ここで、起動時にバイパス回路を形成して冷却ファンモータ１に高い電圧を供給する期間は、検出用トランジスタ８のオン、オフの転換のタイミングを予め設定しておくことにより達成する。この実施の形態では、検出用トランジスタ８のオン、オフの転換のタイミングを電流検出用抵抗１１の抵抗値を可変することにより微調整できる。従って、冷却ファンモータ１の起動に必要な最小限の期間が任意に設定可能になり、風切り音の影響を確実に無くすことができる。また、多量、多種生産にあっては、電圧制御回路の基板を共通にして規格の異なる冷却ファンモータ１を採用しても、最適状態に設定できるので、コストを低減できる効果がある。
【００２０】
本発明の実施の形態の一例によれば、機器の使用の開始にあたり電源スイッチ３を閉成した時点では、冷却ファンモータ１に大きな電流が流れる。この状態は電流検出用抵抗１１での電圧降下を検出用トランジスタ８で直接的に検出することができる。そして、バイパス用トランジスタ６をオンとしてバイパス回路を形成して冷却ファンモータ１に高い電圧を供給し起動を短期間で達成させる。冷却ファンモータ１は起動が達成されると負荷が少なくなって電流が急激に低減するので今度は検出用トランジスタ８がオフとなり、バイパス用トランジスタ８をオフとする。このオフへの転換によってバイパス回路が形成されなくなり、冷却ファンモータ１には電圧制限素子４で低減された電圧が供給されるようになり風切り音が発生せず冷却効果のある程度の回転で作動する。このようにして、冷却ファンモータをすばやく起動させ、機器本体の実質的な使用の段階では風切り音の発生がないようにできる。特に、音声信号を扱う音響機器にあってはその効果は大きい。
【００２１】
次に、図２において本発明の実施の形態の他の例について説明するが、前述した図１における実施の形態の一例と同一部分は同一符号を付し、その説明を省略する。
【００２２】
この他の例では、冷却ファンモータ１と直列に、固有の抵抗値を有する固体型抵抗を電流検出用抵抗５として直列に接続されている。そして、その両端に検出手段を形成する検出用トランジスタ８のエミッタとベースが接続されている。
【００２３】
このような本発明の実施の形態の他の例によれば、実施の形態の一例で示した可変型抵抗を電流検出用抵抗１１として用いた場合のように検出用トランジスタ８のオン、オフの転換のタイミングを微調整することができないが、電流検出用抵抗５として所望の抵抗値を有するものを適宜選択して用いれば、冷却ファンモータ１の起動に必要な最小限の期間が設定可能である。
【００２４】
本発明は、その実施の態様の一例及び他の例において電圧制限素子４にツェナーダイオードを用いているが、これに限定されることなくダイオード、抵抗等を用いてもよい。
【００２５】
【発明の効果】
上述したように、本発明の請求項１によれば、冷却ファンモータと直列に接続した電流検出用抵抗において冷却ファンモータに流れる電流変化を検出トランジスタにより直接的に検出できるため、冷却ファンモータに起動に必要な最小限の期間だけ高電圧を供給して起動を完了させ、冷却ファンから生ずる風切り音の影響を実質的に無した音響機器を提供できる効果がある。また、その構成も検出用トランジスタ、バイパス用トランジスタ等を用いるだけでよいため低コストで目的を達成できる効果がある。
【００２６】
また、本発明の請求項２によれば、冷却ファンモータと直列に接続した電流検出用抵抗において冷却ファンモータに流れる電流変化を検出手段により直接的に検出できるため、冷却ファンモータに起動に必要な最小限の期間だけ高電圧を供給して起動を完了させ、冷却ファンから生ずる風切り音の影響を実質的に無した機器を提供できる効果がある。
【００２７】
更に、本発明の請求項３によれば、冷却ファンモータと直列に接続した電流検出用抵抗において冷却ファンモータに流れる電流変化を検出用トランジスタにより直接的に検出できるため、冷却ファンモータに起動に必要な最小限の期間だけ高電圧を供給して起動を完了させ、冷却ファンから生ずる風切り音の影響を実質的になくした機器を提供できる効果がある。また、その構成も検出用トランジスタ、バイパス用トランジスタ等を用いるだけでよいため低コストで目的を達成できる効果がある。
【００２８】
更に、本発明の請求項３によれば、冷却ファンモータと直列に接続した電流検出用抵抗にその値が可変設定な抵抗を用いているため、検出トランジスタ又は検出手段の検出状態を微調整して確実な起動と風切り音の悪影響を排除できる効果がある。
【図面の簡単な説明】
【図１】本発明の実施の形態の一例を示すブロック図である。
【図２】本発明の実施の形態の他の例を示すブロック図である。
【符号の説明】
１        冷却ファンモータ
４        電圧制限素子
５        電流検出用抵抗
６        バイパス用トランジスタ
８        検出用トランジスタ
【図１】
0004370763.tif 000002
【図２】
0004370763.tif 000003